(57)【要約】【課題】システム全体として、起動時の負荷追従性を確保しつつ、長寿命化を図ること。【解決手段】チラー制御システム（10）は、一の負荷に対応する第１〜第３グループ（Gr1〜Gr3）のうち、他のグループよりも稼動時間が少ない一のグループを優先して稼動させるファミリー制御部（12）を備える一方、ファミリー制御部（12）によって運転される第１〜第３グループ（Gr1〜Gr3）に対応する第１〜第３グループ制御部（13〜15）は、対応するヒートポンプチラー（D1〜D4,D5,D6,D7,D8）を同時に運転させるよう構成されている。【選択図】図２
2013160397.tif 000002
【特許請求の範囲】
【請求項１】
それぞれが少なくとも一つのチラー（D1〜D4,D5,D6,D7,D8）を有する複数の制御ユニット（Gr1〜Gr3）と、各制御ユニット（Gr1〜Gr3）ごとに対応する上記チラー（D1〜D4,D5,D6,D7,D8）を制御するユニット制御部（13〜15）とを備えたチラー制御システムであって、
一の負荷に対応する複数の上記制御ユニット（Gr1〜Gr3）のうち、他の制御ユニットよりも稼動時間が少ない一の制御ユニットを優先して稼動させる統括制御部（12）を備える一方、
上記ユニット制御部（13〜15）は、上記統括制御部（12）によって稼動される上記制御ユニット（Gr1〜Gr3）のチラー（D1〜D4,D5,D6,D7,D8）を制御するよう構成されている
ことを特徴とするチラー制御システム。
【請求項２】
請求項１において、
上記各制御ユニット（Gr1〜Gr3）は、それぞれが複数の上記チラー（D1〜D4,D5,D6,D7,D8）を有している
ことを特徴とするチラー制御システム。
【請求項３】
請求項２において、
上記統括制御部（12）によって稼動される上記制御ユニット（Gr1〜Gr3）に対応する上記ユニット制御部（13〜15）は、対応する複数のチラー（D1〜D4,D5,D6,D7,D8）を同時に運転させるよう構成されている
ことを特徴とするチラー制御システム。
【請求項４】
請求項２において、
上記統括制御部（12）によって稼動される上記制御ユニット（Gr1〜Gr3）に対応するユニット制御部（13〜15）は、対応する複数のチラー（D1〜D4,D5,D6,D7,D8）のうち、他のチラーよりも稼動時間が少ない一のチラーを優先して稼動させるよう構成されている
ことを特徴とするチラー制御システム。
【請求項５】
請求項１又は２において、
上記統括制御部（12）によって稼動される上記制御ユニット（Gr1〜Gr3）に対応するユニット制御部（13〜15）は、対応する上記チラー（D1〜D4,D5,D6,D7,D8）を所定の負荷以下となる運転に制限するよう構成されている
ことを特徴とするチラー制御システム。
【請求項６】
請求項２において、
上記ユニット制御部（13〜15）は、統括制御部（12）によって稼動される上記制御ユニット（Gr1）の複数のチラー（D1〜D4）を同時に運転させる第１ユニット制御部（13）と、
統括制御部（12）によって稼動される上記制御ユニット（Gr2,Gr3）の複数のチラー（D5,D6,D7,D8）のうち、他のチラーよりも稼動時間が少ない一のチラーを優先して稼動させる第２ユニット制御部（14,15）とを備えている
ことを特徴とするチラー制御システム。
【発明の詳細な説明】
【技術分野】
【０００１】
本発明は、チラー制御システムに関し、特に、複数のチラーの運転制御に係るものである。
【背景技術】
【０００２】
従来より、特許文献１に示すように、ビルなどの建物の屋上に配設される大型のチラー装置が知られている。このチラー装置は、複数台のヒートポンプチラーの室外機で構成されている。そして、図２４に示すチラー装置（a）では、複数台のヒートポンプチラーの室外機（b）が多数のグループ（c,d,e）に分けられている。そして、チラー装置（a）は、建物内に供給するための空調用水を冷却又は加熱するように各グループ（c,d,e）ごとに制御される。
【先行技術文献】
【特許文献】
【０００３】
【特許文献１】特開２００８−２０２８５７号公報
【発明の概要】
【発明が解決しようとする課題】
【０００４】
しかしながら、上記チラー装置（a）では、その起動時に特定のグループ（例えば、グループ（c））の室外機（b）が常に動作することになる。このため、特定のグループの室外機（b）のみが早めに故障などをする危険性が高くなる。すなわち、チラー装置（a）全体として、長寿命化を図ることができないという問題があった。
【０００５】
本発明は、斯かる点に鑑みてなされたものであり、システム全体として、長寿命化を図ることを目的とする。
【課題を解決するための手段】
【０００６】
第１の発明は、それぞれが少なくとも一つのチラー（D1〜D4,D5,D6,D7,D8）を有する複数の制御ユニット（Gr1〜Gr3）と、各制御ユニット（Gr1〜Gr3）ごとに対応する上記チラー（D1〜D4,D5,D6,D7,D8）を制御するユニット制御部（13〜15）とを備えたチラー制御システムであって、一の負荷に対応する複数の上記制御ユニット（Gr1〜Gr3）のうち、他の制御ユニットよりも稼動時間が少ない一の制御ユニットを優先して稼動させる統括制御部（12）を備える一方、上記ユニット制御部（13〜15）は、上記統括制御部（12）によって稼動される上記制御ユニット（Gr1〜Gr3）のチラー（D1〜D4,D5,D6,D7,D8）を制御するよう構成されている。
【０００７】
上記第１の発明では、統括制御部（12）は、一の負荷（例えば、共通する空調用水の水配管の水温）に対応する複数の制御ユニット（Gr1〜Gr3）を制御する。具体的には、統括制御部（12）は、複数の制御ユニット（Gr1〜Gr3）のうち、他の制御ユニットよりも稼動時間が少ない一の制御ユニットを優先して稼動させる。こうすることで、複数の制御ユニット（Gr1〜Gr3）の稼動時間が平準化する。
【０００８】
各制御ユニット（Gr1〜Gr3）は、それぞれが少なくとも一のチラー（D1〜D4,D5,D6,D7,D8）を有して構成されている。統括制御部（12）によって稼動された制御ユニット（Gr1〜Gr3）に対応するユニット制御部（13〜15）は、その対応するチラー（D1〜D4,D5,D6,D7,D8）を運転させる。
【０００９】
第２の発明は、上記第１の発明において、上記各制御ユニット（Gr1〜Gr3）は、それぞれが複数の上記チラー（D1〜D4,D5,D6,D7,D8）を有している。
【００１０】
上記第２の発明では、各制御ユニット（Gr1〜Gr3）が、複数のチラー（D1〜D4,D5,D6,D7,D8）を有して構成されている。ユニット制御部（13〜15）は、統括制御部（12）によって稼動された制御ユニット（Gr1〜Gr3）の複数のチラー（D1〜D4,D5,D6,D7,D8）を制御する。
【００１１】
第３の発明は、上記第２の発明において、上記統括制御部（12）によって稼動される上記制御ユニット（Gr1〜Gr3）に対応する上記ユニット制御部（13〜15）は、対応する複数のチラー（D1〜D4,D5,D6,D7,D8）を同時に運転させるよう構成されている。
【００１２】
上記第３の発明では、各制御ユニット（Gr1〜Gr3）は、それぞれが複数のチラー（D1〜D4,D5,D6,D7,D8）を有して構成されている。統括制御部（12）によって稼動された制御ユニット（Gr1〜Gr3）に対応するユニット制御部（13〜15）は、その対応する複数のチラー（D1〜D4,D5,D6,D7,D8）を同時に運転させる。ユニット制御部（13〜15）が各制御ユニット（Gr1〜Gr3）の複数のチラー（D1〜D4,D5,D6,D7,D8）を同時に運転させることで急激な負荷変動に対する追従性が高くなる。
【００１３】
第４の発明は、上記第２の発明において、上記統括制御部（12）によって稼動される上記制御ユニット（Gr1〜Gr3）に対応するユニット制御部（13〜15）は、対応する複数のチラー（D1〜D4,D5,D6,D7,D8）のうち、他のチラーよりも稼動時間が少ない一のチラーを優先して稼動させるよう構成されている。
【００１４】
上記第４の発明では、各制御ユニット（Gr1〜Gr3）は、複数のチラー（D1〜D4,D5,D6,D7,D8）を有し、ユニット制御部（13〜15）は、対応する制御ユニット（Gr1〜Gr3）のチラー（D1〜D4,D5,D6,D7,D8）を制御する。統括制御部（12）は、一の負荷（例えば、共通する空調用水の水配管の水温）に対応する複数の制御ユニット（Gr1〜Gr3）を制御する。具体的には、統括制御部（12）は、複数の制御ユニット（Gr1〜Gr3）のうち、他の制御ユニットよりも稼動時間が少ない一の制御ユニットを優先して稼動させる。こうすることで、複数の制御ユニット（Gr1〜Gr3）間の稼動時間が平準化し、且つ細かい負荷変動に対応することができる。
【００１５】
統括制御部（12）によって稼動された制御ユニット（Gr1〜Gr3）に対応するユニット制御部（13〜15）は、その制御ユニット（Gr1〜Gr3）の複数のチラー（D1〜D4,D5,D6,D7,D8）のうち、他のチラーよりも稼動時間が少ない一のチラーを優先して稼動させる。こうすることで、複数のチラー（D1〜D4,D5,D6,D7,D8）の稼動時間が平準化し、且つ細かい負荷変動に対応することができる。
【００１６】
第５の発明は、上記第１又は２の発明において、上記統括制御部（12）によって稼動される上記制御ユニット（Gr1〜Gr3）に対応するユニット制御部（13〜15）は、対応する上記チラー（D1〜D4,D5,D6,D7,D8）を所定の負荷以下となる運転に制限するよう構成されている。
【００１７】
上記第５の発明では、各制御ユニット（Gr1〜Gr3）は、少なくとも一つのチラー（D1〜D4,D5,D6,D7,D8）を有し、ユニット制御部（13〜15）は、対応する制御ユニット（Gr1〜Gr3）のチラー（D1〜D4,D5,D6,D7,D8）を制御する。統括制御部（12）は、一の負荷（例えば、共通する空調用水の水配管の水温）に対応する複数の制御ユニット（Gr1〜Gr3）を制御する。具体的には、統括制御部（12）は、複数の制御ユニット（Gr1〜Gr3）のうち、他の制御ユニットよりも稼動時間が少ない一の制御ユニットを優先して稼動させる。こうすることで、複数の制御ユニット（Gr1〜Gr3）間の稼動時間が平準化する。
【００１８】
上記統括制御部（12）によって稼動された制御ユニット（Gr1〜Gr3）に対応するユニット制御部（13〜15）は、対応するチラー（D1〜D4,D5,D6,D7,D8）を所定の負荷に制限して運転させる。このため、各制御ユニット（Gr1〜Gr3）の対応するチラー（D1〜D4,D5,D6,D7,D8）を効率のよい負荷において運転させることができる。
【００１９】
第６の発明は、上記第２の発明において、上記ユニット制御部（13〜15）は、統括制御部（12）によって稼動される上記制御ユニット（Gr1）の複数のチラー（D1〜D4）を同時に運転させる第１ユニット制御部（13）と、統括制御部（12）によって稼動される上記制御ユニット（Gr2,Gr3）の複数のチラー（D5,D6,D7,D8）のうち、他のチラーよりも稼動時間が少ない一のチラーを優先して稼動させる第２ユニット制御部（14,15）とを備えている。
【００２０】
上記第６の発明では、各制御ユニット（Gr1〜Gr3）は、複数のチラー（D1〜D4,D5,D6,D7,D8）を有し、ユニット制御部（13〜15）は、対応する制御ユニット（Gr1〜Gr3）のチラー（D1〜D4,D5,D6,D7,D8）を制御する。統括制御部（12）は、一の負荷（例えば、共通する空調用水の水配管の水温）に対応する複数の制御ユニット（Gr1〜Gr3）を制御する。具体的には、統括制御部（12）は、複数の制御ユニット（Gr1〜Gr3）のうち、他の制御ユニットよりも稼動時間が少ない一の制御ユニットを優先して稼動させる。こうすることで、複数の制御ユニット（Gr1〜Gr3）間の稼動時間が平準化する。
【００２１】
ユニット制御部（13〜15）は、第１ユニット制御部（13）と第２ユニット制御部（14,15）とを備えている。第１ユニット制御部（13）は、対応する制御ユニット（Gr1）の各チラー（D1〜D4）を同時に運転させる。制御ユニット（Gr1）の複数のチラー（D1〜D4）を同時に運転させることで急激な負荷に対する追従性が高くなる。
【００２２】
また、第２ユニット制御部（14,15）は、複数のチラー（D5,D6,D7,D8）のうち、他のチラーよりも稼動時間が少ない一のチラーを優先して稼動させるようにしている。こうすることで、細かい負荷変動に対する追従性が高くなる。
【発明の効果】
【００２３】
上記第１の発明によれば、稼動時間の少ない制御ユニット（Gr1〜Gr3）を優先して稼動させるようにしたため、すべての制御ユニット（Gr1〜Gr3）の稼動時間を平準化することができる。このため、特定の制御ユニット（Gr1〜Gr3）が常に稼動するのを防止できるため、チラー制御システムの全体の長寿命化を図ることができる。
【００２４】
上記第２の発明によれば、各制御ユニット（Gr1〜Gr3）が複数のチラー（D1〜D4,D5,D6,D7,D8）を有しているため、複数のチラー（D1〜D4,D5,D6,D7,D8）有する各制御ユニット（Gr1〜Gr3）ごとに制御を行うことができる。このため、簡単な構成でもって、多数のチラー（D1〜D4,D5,D6,D7,D8）を制御することができる。
【００２５】
上記第３の発明によれば、統括制御部（12）によって稼動された制御ユニット（Gr1〜Gr3）の対応する複数のチラー（D1〜D4,D5,D6,D7,D8）を同時に運転させるようにしたため、急激な負荷変動に対する追従性を高くすることができる。この結果、チラー制御システム全体として、起動時などの負荷変動への追従性を確保しつつ、長寿命化を図ることができる。
【００２６】
上記第４の発明によれば、統括制御部（12）が稼動時間の少ない制御ユニット（Gr1〜Gr3）を優先して稼動させるようにしたため、すべての制御ユニット（Gr1〜Gr3）の稼動時間を平準化することができる。このため、特定の制御ユニット（Gr1〜Gr3）が常に稼動するのを防止できるため、チラー制御システムの全体の長寿命化を図ることができる。
【００２７】
また、統括制御部（12）によって稼動された制御ユニット（Gr1〜Gr3）に対応するユニット制御部（13〜15）が、稼動時間の少ないチラー（D1〜D4,D5,D6,D7,D8）を優先して稼動させるようにしたため、各制御ユニット（Gr1〜Gr3）の複数のチラー（D1〜D4,D5,D6,D7,D8）の稼動時間を平準化することができる。また、各制御ユニット（Gr1〜Gr3）を順番に稼動しつつ、複数のチラー（D1〜D4,D5,D6,D7,D8）を順番に稼動させるため、細かい負荷変動に対する追従性を高めることができる。
【００２８】
これらの結果、チラー制御システムの全体として、細かい負荷変動への追従性を保ちつつ、長寿命化を図ることができる。
【００２９】
上記第５の発明によれば、統括制御部（12）が稼動時間の少ない制御ユニット（Gr1〜Gr3）を優先して稼動させるようにしたため、すべての制御ユニット（Gr1〜Gr3）の稼動時間を平準化することができる。このため、特定の制御ユニット（Gr1〜Gr3）が常に稼動するのを防止できるため、チラー制御システムの全体の長寿命化を図ることができる。
【００３０】
また、統括制御部（12）によって稼動された制御ユニット（Gr1〜Gr3）に対応するユニット制御部（13〜15）が、対応するチラー（D1〜D4,D5,D6,D7,D8）を所定の負荷以下となる運転に制限したため、該チラー（D1〜D4,D5,D6,D7,D8）を効率のよい負荷において運転させることができる。これにより、省エネルギーによってチラー（D1〜D4,D5,D6,D7,D8）を運転することができる。
【００３１】
これらの結果、チラー制御システム全体として、細かい負荷変動への追従性を確保しつつ、省エネルギーによる運転を実現することができる。
【００３２】
上記第６の発明によれば、統括制御部（12）が稼動時間の少ない制御ユニット（Gr1〜Gr3）を優先して稼動させるようにしたため、すべての制御ユニット（Gr1〜Gr3）の稼動時間を平準化することができる。このため、特定の制御ユニット（Gr1〜Gr3）が常に稼動するのを防止できるため、チラー制御システムの全体の長寿命化を図ることができる。
【００３３】
また、第２ユニット制御部（14,15）が、稼動時間の少ないチラー（D5,D6,D7,D8）を優先して稼動させるようにしたため、各制御ユニット（Gr2,Gr3）の複数のチラー（D5,D6,D7,D8）の稼動時間を平準化することができる。また、各制御ユニット（Gr2,Gr3）の複数のチラー（D5,D6,D7,D8）を順番に稼動させるため、細かい負荷変動に対する追従性を高めることができる。
【００３４】
さらに、制御ユニット（Gr1）に対応する各チラー（D1〜D4）を同時に運転させるようにしたため、急激な負荷変動に対する追従性を高くすることができる。
【００３５】
これらの結果、チラー制御システムの全体として、起動時の急激な負荷変動への追従性を保ちつつ、起動後の細かい負荷変動への追従性を保ち、且つ長寿命化を図ることができる。
【図面の簡単な説明】
【００３６】
【図１】本実施形態１〜４に係るチラー制御システムの構成を示す概略図である。
【図２】本実施形態１に係る制御内容を示す図である。
【図３】本実施形態１に係る制御動作を示す図である。
【図４】本実施形態１に係る制御動作を示す図である。
【図５】本実施形態１に係る制御動作を示す図である。
【図６】本実施形態１に係る制御動作を示す図である。
【図７】本実施形態１に係るチラー制御システムの運転時間と負荷との関係を示すグラフである。
【図８】本実施形態２に係る制御内容を示す図である。
【図９】本実施形態２に係る制御動作を示す図である。
【図１０】本実施形態２に係る制御動作を示す図である。
【図１１】本実施形態２に係る制御動作を示す図である。
【図１２】本実施形態２に係るチラー制御システムの運転時間と負荷との関係を示すグラフである。
【図１３】本実施形態３に係る制御内容を示す図である。
【図１４】本実施形態３に係る制御動作を示す図である。
【図１５】本実施形態３に係る制御動作を示す図である。
【図１６】本実施形態３に係る制御動作を示す図である。
【図１７】本実施形態３に係る制御動作を示す図である。
【図１８】本実施形態３に係るチラー制御システムの運転時間と負荷との関係を示すグラフである。
【図１９】本実施形態４に係る制御内容を示す図である。
【図２０】本実施形態４に係る制御動作を示す図である。
【図２１】本実施形態４に係る制御動作を示す図である。
【図２２】本実施形態４に係る制御動作を示す図である。
【図２３】本実施形態４に係るチラー制御システムの運転時間と負荷との関係を示すグラフである。
【図２４】従来例に係るチラー装置の構成を示す図である。
【図２５】従来例に係るチラー装置の運転時間と負荷との関係を示すグラフである。
【発明を実施するための形態】
【００３７】
〈発明の実施形態１〉
以下、本発明の実施形態１を図面に基づいて詳細に説明する。
【００３８】
図１は、本発明の実施形態１に係るチラー制御システム（10）を示している。このチラー制御システム（10）は、それぞれが複数のヒートポンプチラー（D1〜D8）を有する第１〜第３グループ（Gr1〜Gr3）と、ヒートポンプチラー（D1〜D8）の運転を制御するコントローラ（11）とを備えて構成されている。
【００３９】
上記ヒートポンプチラー（D1〜D8）は、ビル等の建物の屋上に設置されて該建物内に供給される空調用水を冷却又は加熱するためのものであって、本発明に係るチラーを構成している。ヒートポンプチラー（D1〜D8）は、熱交換器と送風ファンを有するケーシングを備えており、熱交換器を通過させてケーシングに取り込んだ空気を送風ファンによってケーシングの外部に吹き出すように構成されている。ケーシング内に取り込まれた空気は、熱交換器を通過する際に熱交換される。
【００４０】
上記第１グループ（Gr1）は、４台のヒートポンプチラー（D1〜D4）で構成され、第２グループ（Gr2）は、２台のヒートポンプチラー（D5,D6）で構成され、第３グループ（Gr3）は、２台のヒートポンプチラー（D7,D8）で構成されている。各ヒートポンプチラー（D1〜D8）は、互いに同一の水配管（16）に接続されている。この水配管（16）を流れる空調用水の温度負荷は、本実施形態および本発明に係る負荷をいうものとする。尚、上記各グループ（Gr1〜Gr3）は、本発明に係る制御ユニットを構成している。
【００４１】
上記コントローラ（11）は、第１グループ（Gr1）を制御する第１グループ制御部（13）と、第２グループ（Gr2）を制御する第２グループ制御部（14）と、第３グループ（Gr3）を制御する第３グループ制御部（15）と、第１〜第３グループ（Gr1〜Gr3）を統括制御するファミリー制御部（12）とを備えている。
【００４２】
各グループ制御部（13〜15）は、図２に示すように、それぞれの対応するグループ（Gr1〜Gr3）のヒートポンプチラー（D1〜D8）に対してグループ制御を行うものであって、本発明に係るユニット制御部を構成している。具体的には、第１グループ制御部（13）は、第１グループ（Gr1）に接続され、第２グループ制御部（14）は、第２グループ（Gr2）に接続され、第３グループ制御部（15）は第３グループ（Gr3）に接続されている。このグループ制御は、ユーザーの要望に応じて、例えばヒートポンプチラー（D1〜D8）の設置時などに予め設定されるものである。
【００４３】
本実施形態１では、各グループ制御部（13〜15）は、それぞれが対応する各グループ（Gr1〜Gr3）に対してグループ制御として同時制御を行う。具体的に、第１グループ（Gr1）における同時制御では、第１グループ制御部（13）が運転信号を受け取ると、第１グループ（Gr1）を構成する４台のヒートポンプチラー（D1〜D4）のすべてに１００％ロードでの運転指令を出す。一方、第１グループ制御部（13）が、運転停止信号を受け取ると、すべてのヒートポンプチラー（D1〜D4）を停止させる。第２グループ（Gr2）の同時制御では、上記第１グループ（Gr1）と同様に、第２グループ（Gr2）を構成する２台のヒートポンプチラー（D5,D6）が同時に１００％ロードでの起動・停止を繰り返す。また、第３グループ（Gr3）の同時制御では、上記第１グループ（Gr1）と同様に、第３グループ（Gr3）を構成する２台のヒートポンプチラー（D7,D8）が同時に１００％ロードでの起動・停止を繰り返す。
【００４４】
上記ファミリー制御部（12）は、第１〜第３の各グループ制御部（13〜15）に対してファミリー制御を行うものであって、本発明に係る統括制御部を構成している。このファミリー制御は、ユーザーの要望に応じて、例えば各ヒートポンプチラー（D1〜D8）の設置時に予め設定されるものである。
【００４５】
このファミリー制御部（12）は、第１〜第３の各グループ制御部（13〜15）に対してファミリー制御としてローテーション制御を行う。すなわち、第１〜第３グループ（Gr1〜Gr3）が１つのファミリーを構成している。ファミリー制御部（12）のローテーション制御では、各グループ（Gr1〜Gr3）ごとの通算運転時間を平準化するようにファミリー内の各グループ（Gr1〜Gr3）の運転が制御される。尚、この通算運転時間は、本発明に係る稼動時間を構成している。具体的には、ファミリー制御部（12）では、運転信号を受け取ると、制御対象とするファミリー内で通算運転時間が少ないグループの順に高い優先順位が決定される。そして、ファミリー制御部（12）は、優先順位の最も高いグループ（すなわち、通算運転時間が最も少ないグループ）から順番に運転を開始させる。そして、運転を開始して水温制御を行うグループが１００％ロードに達したら、次に優先順位の高いグループの運転を開始させる。このため、ローテーション制御では、各グループ（Gr1〜Gr3）ごとの通算運転時間にばらつきが少なくなる。
【００４６】
また、このローテーション制御では、運転中のグループのうち、最も優先順位の低いグループ（すなわち、通算運転時間が多いグループ）が水温の微調整を行うように制御が行われる。尚、本実施形態１では、第１グループ（Gr1）、第２グループ（Gr2）、第３グループ（Gr3）の順に優先順位が高くなっているものとする。
【００４７】
また、ファミリー制御部（12）では、連続運転が２４時間経過すると、優先順位が１位の第１グループ（Gr1）の優先順位を最後の順位に変更し、２位以下のグループ（Gr2,Gr3）が一位ずつ繰り上がる。つまり、２４時間ごとにその優先順位を変更することで、運転時間の平準化が図られる。
【００４８】
尚、ファミリー制御部（12）では、各グループ（Gr1〜Gr3）の通算運転時間ではなく、各グループ（Gr1〜Gr3）の発停回数の平均値が少ない順に優先順位を決定するようにしてもよい。
【００４９】
−運転動作−
次に、本実施形態１に係るチラー制御システム（10）の運転制御について説明する。チラー制御システム（10）では、図３に示すように、まず、ファミリー制御部（12）が、第１〜第３グループ（Gr1〜Gr3）のうち、通算運転時間が最も少ない第１グループ（Gr1）の運転を開始させる。第１グループ（Gr1）では、グループ内の４台のヒートポンプチラー（D1〜D4）が、同時に１００％ロードで起動される。すべてのヒートポンプチラー（D1〜D4）が同時に１００％ロードで起動することで、図７の（ａ）に示すように、チラー制御システム（10）の起動時の急激な負荷の増加（４００％）に対して追従することができる。
【００５０】
次に、ファミリー制御部（12）は、図４に示すように、急激な負荷の増加（２００％）に対して、通算運転時間が２番目に少ない第２グループ（Gr2）の運転を開始させる。第２グループ（Gr2）では、グループ内の２台のヒートポンプチラー（D5,D6）が、同時に１００％ロードで起動される。すべてのヒートポンプチラー（D5,D6）が同時に１００％ロードで起動することで、図７の（ｂ）に示すように、急激な負荷の増加（２００％）に対して追従することができる。
【００５１】
その後、ファミリー制御部（12）は、図５に示すように、急激な負荷の増加（２００％）に対して、残った第３グループ（Gr3）の運転を開始させる。第３グループ（Gr3）では、グループ内の２台のヒートポンプチラー（D7,D8）が、同時に１００％ロードで起動される。すべてのヒートポンプチラー（D7,D8）が同時に１００％ロードで起動することで、図７の（ｃ）に示すように、急激な負荷の増加（２００％）に対して追従することができる。
【００５２】
次に、ファミリー制御部（12）は、図６に示すように、急激な負荷の低下（２００％）に対して、第３グループ（Gr3）の運転を停止させる。第３グループ（Gr3）では、グループ内の２台のヒートポンプチラー（D7,D8）が同時に停止する。すべてのヒートポンプチラー（D7,D8）が同時に停止することで、図７の（ｄ）に示すように、急激な負荷の低下（２００％）に対して追従することができる。
【００５３】
−実施形態１の効果−
上記実施形態１によれば、ファミリー制御ではローテーション制御を行う一方、各グループ制御では同時制御を行うようにしたため、グループ（Gr1〜Gr3）ごとに起動・停止を行うことができる。このため、負荷変動に対する追従性を高くすることができる。これにより、チラー制御システム（10）の起動時の高負荷においても水温を速やかに目標温度に近づけることができる。また、チラー制御システム（10）の運転中における急激な負荷変動においても水温を速やかに目標温度に近づけることができる。
【００５４】
また、ファミリー制御では、ローテーション制御を行うようにしたため、グループ（Gr1〜Gr3）ごとの通算運転時間に基づいて、運転させるグループ（Gr1〜Gr3）を決めることができる。これにより、各グループ（Gr1〜Gr3）の通算運転時間を平準化することができる。
【００５５】
これらの結果、チラー制御システム（10）の全体として、起動時などの負荷変動への追従性を確保しつつ、長寿命化を図ることができる。
【００５６】
ここで、従来のチラー装置（a）は、コンサートホールや体育館のような広い空間を有する物件に設置されることがある。このような物件の場合、チラー装置（a）の起動時の冷却又は加熱負荷が大きくなるという特徴がある。このため、チラー装置（a）では、グループ（c,d,e）内の室外機（b）をすべて同時に発停させる同時制御を行うことで、起動時の負荷変動に対応している。
【００５７】
しかしながら、上記チラー装置（a）では、その起動時に特定のグループ（例えば、グループ（c））の室外機（b）が常に動作することになる。このため、特定のグループの室外機（b）のみが早めに故障などをする危険性が高くなる。すなわち、チラー装置（a）全体として、起動時などの負荷変動への追従性を確保しつつ、長寿命化を図ることができないという問題があった。
【００５８】
一方、本実施形態１に係るチラー制御システム（10）は、起動時などの負荷変動に対する追従性を高めることができ、且つ長寿命化を図ることができるため、このような物件に適している。
【００５９】
〈発明の実施形態２〉
次に、本発明の実施形態２について説明する。実施形態２に係るチラー制御システム（10）は、上記実施形態１に係るものとは、コントローラ（11）のグループ制御部（13〜15）の構成が異なっている。
【００６０】
図１は、本発明の実施形態２に係るチラー制御システム（10）を示している。このチラー制御システム（10）は、それぞれが複数のヒートポンプチラー（D1〜D8）を有する第１〜第３グループ（Gr1〜Gr3）と、ヒートポンプチラー（D1〜D8）の運転を制御するコントローラ（11）とを備えて構成されている。
【００６１】
上記ヒートポンプチラー（D1〜D8）は、ビル等の建物の屋上に設置されて該建物内に供給される空調用水を冷却又は加熱するためのものであって、本発明に係るチラーを構成している。ヒートポンプチラー（D1〜D8）は、熱交換器と送風ファンを有するケーシングを備えており、熱交換器を通過させてケーシングに取り込んだ空気を送風ファンによってケーシングの外部に吹き出すように構成されている。ケーシング内に取り込まれた空気は、熱交換器を通過する際に熱交換される。
【００６２】
上記第１グループ（Gr1）は、４台のヒートポンプチラー（D1〜D4）で構成され、第２グループ（Gr2）は、２台のヒートポンプチラー（D5,D6）で構成され、第３グループ（Gr3）は、２台のヒートポンプチラー（D7,D8）で構成されている。各ヒートポンプチラー（D1〜D8）は、互いに同一の水配管（16）に接続されている。この水配管（16）を流れる空調用水の温度負荷は、本実施形態２および本発明に係る負荷をいうものとする。尚、上記各グループ（Gr1〜Gr3）は、本発明に係る制御ユニットを構成している。
【００６３】
上記コントローラ（11）は、第１グループ（Gr1）を制御する第１グループ制御部（13）と、第２グループ（Gr2）を制御する第２グループ制御部（14）と、第３グループ（Gr3）を制御する第３グループ制御部（15）と、第１〜第３グループ（Gr1〜Gr3）を統括制御するファミリー制御部（12）とを備えている。
【００６４】
各グループ制御部（13〜15）は、図８に示すように、それぞれの対応するグループ（Gr1〜Gr3）のヒートポンプチラー（D1〜D8）に対してグループ制御を行うものであって、本発明に係るユニット制御部を構成している。具体的には、第１グループ制御部（13）は、第１グループ（Gr1）に接続され、第２グループ制御部（14）は、第２グループ（Gr2）に接続され、第３グループ制御部（15）は第３グループ（Gr3）に接続されている。このグループ制御は、ユーザーの要望に応じて、例えばヒートポンプチラー（D1〜D8）の設置時などに予め設定されるものである。
【００６５】
具体的に、本実施形態２に係る各グループ制御部（13〜15）は、それぞれの対応するグループ（Gr1〜Gr3）に対してグループ制御としてローテーション制御を行うものである。
【００６６】
第１グループ（Gr1）におけるローテーション制御では、グループ内の４台のヒートポンプチラー（D1〜D4）ごとの通算運転時間が平準化するように各ヒートポンプチラー（D1〜D4）の運転が制御される。具体的には、第１グループ制御部（13）では、運転信号を受け取ると、グループ内で通算運転時間が少ないヒートポンプチラーの順に高い優先順位が決定される。そして、第１グループ制御部（13）は、優先順位の最も高いヒートポンプチラー（すなわち、通算運転時間が最も少ないヒートポンプチラー）から順番に運転を開始させる。運転が開始して水温制御を行うヒートポンプチラーが所定のロードに達したら、次に優先順位の高いヒートポンプチラーの運転を開始させる。このため、ローテーション制御では、グループ内の各ヒートポンプチラー（D1〜D4）ごとの通算運転時間にばらつきが少なくなる。
【００６７】
また、このローテーション制御では、運転中のヒートポンプチラー（D1〜D4）のうち、最も優先順位の低いヒートポンプチラー（すなわち、通算運転時間が多いヒートポンプチラー）が水温の微調整を行う。そして、負荷が下がった場合、優先順位の低い順に運転を停止させる。また、停止信号を受け取ると、第１グループ制御部（13）は、グループ内のすべてのヒートポンプチラー（D1〜D4）を同時に停止する。尚、第１グループ（Gr1）では、図１０に示すように、ヒートポンプチラー（D4）（２８０時間）、ヒートポンプチラー（D3）（３００時間）、ヒートポンプチラー（D1）（３５０時間）、ヒートポンプチラー（D2）（３７０時間）の順に優先順位が高くなっているものとする。
【００６８】
また、第１グループ制御部（13）では、連続運転が２４時間経過すると、優先順位が１位のヒートポンプチラーの優先順位を最後の順位に変更し、２位以下のヒートポンプチラーが一位ずつ繰り上がる。つまり、２４時間ごとにその優先順位を変更することで、運転時間の平準化が図られる。
【００６９】
尚、第１グループ制御部（13）では、各ヒートポンプチラー（D1〜D4）の通算運転時間ではなく、各ヒートポンプチラー（D1〜D4）の発停回数が少ない順に優先順位を決定するようにしてもよい。この場合、起動が特定のヒートポンプチラー（D1〜D4）に集中しなくなるため、各ヒートポンプチラー（D1〜D4）の発停回数を平準化することができる。
【００７０】
第２グループ（Gr2）におけるローテーション制御では、グループ内の２台のヒートポンプチラー（D5,D6）ごとの通算運転時間を平準化するように各ヒートポンプチラー（D5,D6）の運転が制御される。具体的な制御内容は、上記第１グループ（Gr1）と同様であるため、説明は省略する。尚、第２グループ（Gr2）では、図９に示すように、ヒートポンプチラー（D6）（３１０時間）、ヒートポンプチラー（D5）（３４０時間）の順に優先順位が高くなっているものとする。
【００７１】
第３グループ（Gr3）におけるローテーション制御では、グループ内の２台のヒートポンプチラー（D7,D8）ごとの通算運転時間を平準化するように各ヒートポンプチラー（D7,D8）の運転が制御される。具体的な制御内容は、上記第１グループ（Gr1）と同様であるため、説明は省略する。
【００７２】
上記ファミリー制御部（12）は、第１〜第３の各グループ制御部（13〜15）に対してファミリー制御を行うものであって、本発明に係る統括制御部を構成している。このファミリー制御は、ユーザーの要望に応じて、例えば各ヒートポンプチラー（D1〜D8）の設置時に予め設定されるものである。
【００７３】
このファミリー制御部（12）は、第１〜第３の各グループ制御部（13〜15）に対してファミリー制御としてローテーション制御を行う。すなわち、第１〜第３グループ（Gr1〜Gr3）が１つのファミリーを形成している。ファミリー制御部（12）のローテーション制御では、各グループ（Gr1〜Gr3）ごとの通算運転時間を平準化するようにファミリー内の各グループ（Gr1〜Gr3）の運転が制御される。尚、この通算運転時間は、本発明に係る稼動時間を構成している。具体的には、ファミリー制御部（12）では、運転信号を受け取ると、制御対象とするファミリー内で通算運転時間が少ないグループの順に高い優先順位が決定される。そして、ファミリー制御部（12）は、優先順位の最も高いグループ（すなわち、通算運転時間が最も少ないグループ）から順番に運転を開始させる。そして、運転が開始して水温制御を行うグループが１００％ロードに達したら、次に優先順位の高いグループの運転を開始させる。このため、ローテーション制御では、各グループ（Gr1〜Gr3）ごとの通算運転時間にばらつきが少なくなる。
【００７４】
また、このローテーション制御では、運転中のグループのうち、最も優先順位の低いグループ（すなわち、通算運転時間が多いグループ）が水温の微調整を行うように制御が行われる。尚、本実施形態２では、第２グループ（Gr2）、第１グループ（Gr1）、第３グループ（Gr3）の順に優先順位が高くなっているものとする。
【００７５】
また、ファミリー制御部（12）では、連続運転が２４時間経過すると、優先順位が１位のグループの優先順位を最後の順位に変更し、２位以下のグループが一位ずつ繰り上がる。つまり、２４時間ごとにその優先順位を変更することで、運転時間の平準化が図られる。
【００７６】
尚、ファミリー制御部（12）では、各グループ（Gr1〜Gr3）の通算運転時間ではなく、各グループ（Gr1〜Gr3）の発停回数の平均値が少ない順に優先順位を決定するようにしてもよい。
【００７７】
−運転動作−
次に、本実施形態２に係るチラー制御システム（10）の運転制御について説明する。チラー制御システム（10）では、図９に示すように、ファミリー制御部（12）が、第１〜第３グループ（Gr1〜Gr3）のうち、通算運転時間が最も少ない第２グループ（Gr2）の運転を開始させる。第２グループ（Gr2）では、グループ内の２台のヒートポンプチラー（D5,D6）のうち、通算運転時間が少ないヒートポンプチラー（D6）の運転を開始させ、１００％ロードに達したら、続いてヒートポンプチラー（D5）の運転を開始させる。こうすることで、図１２に示すように、細かい負荷変動に対して追従することができる。
【００７８】
次に、ファミリー制御部（12）は、通算運転時間が２番目に少ない第１グループ（Gr1）の運転を開始させる。第１グループ（Gr1）では、図１０に示すように、グループ内の４台のヒートポンプチラー（D1〜D4）のうち、通算運転時間が最も少ないヒートポンプチラー（D4）の運転を開始させ、１００％ロードに達したら、続いてヒートポンプチラー（D3）、ヒートポンプチラー（D1）、ヒートポンプチラー（D2）の順に運転を開始させる。こうすることで、図１２に示すように、細かい負荷変動に対して追従することができる。
【００７９】
その後、ファミリー制御部（12）は、通算運転時間が少ない第３グループ（Gr3）の運転を開始させる。第３グループ（Gr3）では、図１１に示すように、グループ内の２台のヒートポンプチラー（D7,D8）のうち、通算運転時間が少ないヒートポンプチラーから順に運転を開始させる。こうすることで、図１２に示すように、細かい負荷変動に対して追従することができる。
【００８０】
尚、ヒートポンプチラー（D1〜D8）の水温が目標温度となった場合、ファミリー制御部（12）は、その水温を維持するように各グループ（Gr1〜Gr3）のローテーション制御を行う。
【００８１】
−実施形態２の効果−
上記実施形態２によれば、ファミリー制御部（12）がローテーション制御を行うようにしたため、グループ（Gr1〜Gr3）ごとの通算運転時間に基づいて運転させるグループを決めることができる。これにより、各グループ（Gr1〜Gr3）の通算運転時間を平準化することができる。このため、特定のグループ（Gr1〜Gr3）が常に稼動するのを防止できるため、チラー制御システム（10）の全体の長寿命化を図ることができる。また、各グループ（Gr1〜Gr3）をローテーションさせて起動させるため、細かい負荷変動に対する追従性を高めることができる。
【００８２】
また、グループ制御部（13〜15）がローテーション制御を行うようにしたため、各グループ（Gr1〜Gr3）内のヒートポンプチラー（D1〜D4,D5,D6,D7,D8）ごとの通算運転時間に基づいて運転させるヒートポンプチラー（D1〜D4,D5,D6,D7,D8）を決めることができる。これにより、各グループ（Gr1〜Gr3）のヒートポンプチラー（D1〜D4,D5,D6,D7,D8）の通算運転時間を平準化することができる。また、各グループ（Gr1〜Gr3）および各ヒートポンプチラー（D1〜D4,D5,D6,D7,D8）をローテーションさせて起動させるため、細かい負荷変動に対する追従性を高めることができる。
【００８３】
これらの結果、チラー制御システム（10）の全体として、細かい負荷変動への追従性を保ちつつ、長寿命化を図ることができる。
【００８４】
ここで、従来のチラー装置（a）は、病院や寮などの個室空調を主体とする物件に設置されることがある。このような物件の場合、チラー装置（a）の起動時の冷却又は加熱負荷は段階的に増加し、且つ起動後は、その変動が小さい一方、長時間の運転が必要になるという特徴がある。このため、チラー装置（a）では、各グループ（c,d,e）内の室外機（b）を稼動時間の少ないものを優先させて起動させることで、グループ（c,d,e）内の各室外機（b）の稼動時間の平準化を図り、且つ変動の少ない負荷に細かく対応している。
【００８５】
しかしながら、上記チラー装置（a）では、各グループ（c,d,e）内では、各室外機（b）の稼動時間が平準化されるものの、起動時は、常に、特定のグループが動作することになる。このため、特定のグループの室外機（b）のみが早く故障などをする危険性が高くなる。すなわち、チラー装置（a）全体として、細かい負荷変動への追従性を保ちつつ、長寿命化を図ることができないという問題があった。
【００８６】
本実施形態２に係るチラー制御システム（10）では、全体として、細かい負荷変動への追従性を保ちつつ、長寿命化を図ることができる。その他の形態、作用・効果は実施形態１と同様である。
【００８７】
〈発明の実施形態３〉
次に、本発明の実施形態３について説明する。実施形態３に係るチラー制御システム（10）は、上記実施形態１および２に係るものとは、コントローラ（11）のグループ制御部（13〜15）の構成が異なっている。
【００８８】
図１は、本発明の実施形態３に係るチラー制御システム（10）を示している。このチラー制御システム（10）は、それぞれが複数のヒートポンプチラー（D1〜D8）を有する第１〜第３グループ（Gr1〜Gr3）と、ヒートポンプチラー（D1〜D8）の運転を制御するコントローラ（11）とを備えて構成されている。
【００８９】
上記ヒートポンプチラー（D1〜D8）は、ビル等の建物の屋上に設置されて該建物内に供給される空調用水を冷却又は加熱するためのものであって、本発明に係るチラーを構成している。ヒートポンプチラー（D1〜D8）は、熱交換器と送風ファンを有するケーシングを備えており、熱交換器を通過させてケーシングに取り込んだ空気を送風ファンによってケーシングの外部に吹き出すように構成されている。ケーシング内に取り込まれた空気は、熱交換器を通過する際に熱交換される。
【００９０】
上記第１グループ（Gr1）は、４台のヒートポンプチラー（D1〜D4）で構成され、第２グループ（Gr2）は、２台のヒートポンプチラー（D5,D6）で構成され、第３グループ（Gr3）は、２台のヒートポンプチラー（D7,D8）で構成されている。各ヒートポンプチラー（D1〜D8）は、互いに同一の水配管（16）に接続されている。この水配管（16）を流れる空調用水の温度負荷は、本実施形態３および本発明に係る負荷をいうものとする。尚、上記各グループ（Gr1〜Gr3）は、本発明に係る制御ユニットを構成している。
【００９１】
上記コントローラ（11）は、第１グループ（Gr1）を制御する第１グループ制御部（13）と、第２グループ（Gr2）を制御する第２グループ制御部（14）と、第３グループ（Gr3）を制御する第３グループ制御部（15）と、第１〜第３グループ（Gr1〜Gr3）を統括制御するファミリー制御部（12）とを備えている。
【００９２】
各グループ制御部（13〜15）は、図１３に示すように、それぞれの対応するグループ（Gr1〜Gr3）のヒートポンプチラー（D1〜D8）に対してグループ制御を行うものであって、本発明に係るユニット制御部を構成している。具体的には、第１グループ制御部（13）は、第１グループ（Gr1）に接続され、第２グループ制御部（14）は、第２グループ（Gr2）に接続され、第３グループ制御部（15）は第３グループ（Gr3）に接続されている。このグループ制御は、ユーザーの要望に応じて、例えばヒートポンプチラー（D1〜D8）の設置時などに予め設定されるものである。
【００９３】
具体的に、本実施形態３に係る各グループ制御部（13〜15）は、それぞれの対応するグループ（Gr1〜Gr3）に対してグループ制御として運転効率優先制御（以下、効率制御という。）を行うものである。
【００９４】
第１グループ（Gr1）における効率制御では、グループ内の２台のヒートポンプチラー（D1〜D4）の運転効率を考慮して運転が制御される。具体的には、運転信号を受け取ると、第１グループ制御部（13）では、グループ内で通算運転時間が少ないヒートポンプチラーの順に高い優先順位が決定される。そして、第１グループ制御部（13）は、優先順位の最も高いヒートポンプチラー（すなわち、通算運転時間が最も少ないヒートポンプチラー）から順番に運転を開始させる。運転が開始し、水温制御を行うヒートポンプチラーが所定のロードに達したら、次に優先順位の高いヒートポンプチラーの運転を開始させる。このため、効率制御では、グループ内の各ヒートポンプチラー（D1〜D4）ごとの通算運転時間にばらつきが少なくなる。
【００９５】
ここで、第１グループ（Gr1）では、各ヒートポンプチラー（D1〜D4）が最高運転効率となるロード（以下、効率％ロード）で運転を行う。この効率％ロードは、例えば、図２５に示されるように、４０％ロードをいうものとする。このため、効率制御では、第１グループ（Gr1）全体で運転効率のよい運転を行うことができる。
【００９６】
また、この効率制御では、運転中のヒートポンプチラー（D1〜D4）のうち、最も優先順位の低いヒートポンプチラー（すなわち、通算運転時間が多いヒートポンプチラー）が水温の微調整を行う。そして、負荷が下がった場合、優先順位の低いヒートポンプチラーの順に運転を停止させる。また、停止信号を受け取ると、第１グループ制御部（13）は、グループ内のすべてのヒートポンプチラー（D1〜D4）を同時に停止する。
【００９７】
また、第１グループ制御部（13）では、連続運転が２４時間経過すると、優先順位が１位のヒートポンプチラーの優先順位を最後の順位に変更し、２位以下のヒートポンプチラーが一位ずつ繰り上がる。つまり、２４時間ごとにその優先順位を変更することで、運転時間の平準化が図られる。
【００９８】
尚、第１グループ制御部（13）では、各ヒートポンプチラー（D1〜D4）の通算運転時間ではなく、各ヒートポンプチラー（D1〜D4）の発停回数が少ない順に優先順位を決定するようにしてもよい。この場合、起動が特定のヒートポンプチラーに集中しなくなるため、各ヒートポンプチラー（D1〜D4）の発停回数を平準化することができる。
【００９９】
第２グループ（Gr2）における効率制御では、グループ内の２台のヒートポンプチラー（D5,D6）の運転効率を考慮して運転が制御される。具体的な制御内容は、上記第１グループ（Gr1）と同様であるため、説明は省略する。尚、第２グループ（Gr2）では、図１４に示すように、ヒートポンプチラー（D6）（３１０時間）、ヒートポンプチラー（D5）（３４０時間）の順に優先順位が高くなっているものとする。
【０１００】
第３グループ（Gr3）における効率制御では、グループ内の２台のヒートポンプチラー（D7,D8）の運転効率を考慮して運転が制御される。具体的な制御内容は、上記第１グループ（Gr1）と同様であるため、説明は省略する。
【０１０１】
上記ファミリー制御部（12）は、第１〜第３の各グループ制御部（13〜15）に対してファミリー制御を行うものであって、本発明に係る統括制御部を構成している。このファミリー制御は、ユーザーの要望に応じて、例えば各ヒートポンプチラー（D1〜D8）の設置時に予め設定されるものである。
【０１０２】
このファミリー制御部（12）は、第１〜第３の各グループ制御部（13〜15）に対してファミリー制御としてローテーション制御を行う。すなわち、第１グループ（Gr1〜Gr3）が１つのファミリーを構成している。ファミリー制御部（12）のローテーション制御では、各グループ（Gr1〜Gr3）ごとの通算運転時間を平準化するようにファミリー内の各グループ（Gr1〜Gr3）の運転が制御される。尚、この通算運転時間は、本発明に係る稼動時間を構成している。具体的には、ファミリー制御部（12）では、運転信号を受け取ると、制御対象とするファミリー内で通算運転時間が少ないグループの順に高い優先順位が決定される。そして、ファミリー制御部（12）は、優先順位の最も高いグループ（すなわち、通算運転時間が最も少ないグループ）から順番に運転を開始させる。そして、運転を開始させて水温制御を行うグループが１００％ロードに達したら、次に優先順位の高いグループの運転を開始させる。このため、ローテーション制御では、各グループ（Gr1〜Gr3）ごとの通算運転時間にばらつきが少なくなる。
【０１０３】
また、このローテーション制御では、運転中のグループのうち、最も優先順位の低いグループ（すなわち、通算運転時間が多いグループ）が水温の微調整を行う制御が行われる。尚、本実施形態３では、図１４に示すように、第２グループ（Gr2）、第１グループ（Gr1）、第３グループ（Gr3）の順に優先順位が高くなっているものとする。
【０１０４】
また、ファミリー制御部（12）では、連続運転が２４時間経過すると、優先順位が１位のグループの優先順位を最後の順位に変更し、２位以下のグループが一位ずつ繰り上がる。つまり、２４時間ごとにその優先順位を変更することで、運転時間の平準化が図られる。
【０１０５】
尚、ファミリー制御部（12）では、各グループ（Gr1〜Gr3）の通算運転時間ではなく、各グループ（Gr1〜Gr3）の発停回数の平均値が少ない順に優先順位を決定するようにしてもよい。
【０１０６】
−運転動作−
次に、本実施形態３に係るチラー制御システム（10）の運転制御について説明する。チラー制御システム（10）では、図１４に示すように、ファミリー制御部（12）が、第１〜第３グループ（Gr1〜Gr3）のうち、通算運転時間が最も少ない第２グループ（Gr2）の運転を開始させる。第２グループ（Gr2）では、グループ内の２台のヒートポンプチラー（D5,D6）のうち、通算運転時間が少ないヒートポンプチラー（D6）の運転を開始させ、効率％ロードに達したら、続いて、図１５に示すように、ヒートポンプチラー（D5）の運転を開始させる。こうすることで、図１８に示すように、細かい負荷変動に対して追従することができる。
【０１０７】
次に、ファミリー制御部（12）は、通算運転時間が２番目に少ない第１グループ（Gr1）、第３グループ（Gr3）の順に運転を開始させる。このとき、各グループ（Gr1,Gr3）では、そのグループ内で優先順位の高いヒートポンプチラーの運転が開始され、このヒートポンプチラーが効率％ロードに達したら、次に優先順位の高いヒートポンプチラーから順に運転を開始させていく。こうすることで、図１８に示すように、細かい負荷変動に対して追従することができる。
【０１０８】
その後、図１６に示すように、すべてのヒートポンプチラー（D1〜D8）が効率％ロードで運転した場合、ファミリー制御部（12）は、優先順位の高い第２グループ（Gr2）を高いロードで運転するように制御する。第２グループ制御部（14）は、優先順位の高いヒートポンプチラー（D6）を１００％ロードでの運転に切り換え、ヒートポンプチラー（D6）が１００％ロードに達したら、続いて、ヒートポンプチラー（D5）を１００％ロードでの運転に切り換える。
【０１０９】
続いて、ファミリー制御部（12）は、優先順位の高い第１グループ（Gr1）、第３グループ（Gr3）の順に運転を開始させる。このとき、各グループ（Gr1,Gr3）では、そのグループ内で優先順位の高いヒートポンプチラーを１００％ロードでの運転に切り換え、このヒートポンプチラーが１００％ロードに達したら、次に優先順位の高いヒートポンプチラーから順に１００％ロードでの運転に切り換えていく（図１７参照）。こうすることで、図１８に示すように、細かい負荷変動に対して追従することができる。
【０１１０】
−実施形態３の効果−
上記実施形態３によれば、ファミリー制御部（12）が、ローテーション制御を行うようにしたため、グループ（Gr1〜Gr3）ごとの通算運転時間に基づいて運転させるグループを決めることができる。このため、各グループ（Gr1〜Gr3）の通算運転時間を平準化することができる。したがって、特定のグループ（Gr1〜Gr3）が常に稼動するのを防止できるため、チラー制御システム（10）の全体の長寿命化を図ることができる。
【０１１１】
また、各グループ（Gr1〜Gr3）では、グループ内のヒートポンプチラー（D1〜D4,D5,D6,D7,D8）の効率％ロードでの運転を優先させたため、省電力による運転を行うことができる。
【０１１２】
この結果、チラー制御システム（10）の全体として、長寿命化を図りつつ、省エネルギーによる運転を実現することができる。
【０１１３】
また、各グループ（Gr1〜Gr3）では、効率制御を行うようにしたため、各グループ（Gr1〜Gr3）内のヒートポンプチラー（D1〜D8）ごとの通算運転時間に基づいて運転させるヒートポンプチラー（D1〜D8）を決めることができる。これにより、各グループ（Gr1〜Gr3）のヒートポンプチラー（D1〜D8）の通算運転時間を平準化することができる。また、各グループ（Gr1〜Gr3）内のヒートポンプチラー（D1〜D4,D5,D6,D7,D8）を順番に起動させるため、細かい負荷の変動に対する追従性を高めることができる。
【０１１４】
また、各グループ（Gr1〜Gr3）が複数のヒートポンプチラー（D1〜D4,D5,D6,D7,D8）を有しているため、複数のヒートポンプチラー（D1〜D4,D5,D6,D7,D8）を有する各グループ（Gr1〜Gr3）ごとに制御を行うことができる。このため、簡単な構成でもって、多数のヒートポンプチラー（D1〜D4,D5,D6,D7,D8）を制御することができる。
【０１１５】
ここで、従来のチラー装置（a）は、病院や寮などの個室空調を主体とする物件に設置されることがある。このような物件の場合、チラー装置（a）の起動時の冷却又は加熱負荷は段階的に増加し、且つ起動後は、その変動が小さい一方、長時間の運転が必要となるという特徴がある。このため、チラー装置（a）では、各グループ（c,d,e）内の室外機（b）を稼動時間の少ないものを優先させて起動させることで、細かい負荷変動に追従させるように制御されていた。しかしながら、上記チラー装置（a）では、各グループ（c,d,e）内で稼動する室外機（b）が１００％ロードで運転するため、効率の悪い運転となり、電力使用量が多くなってしまう（図２５）。すなわち、チラー装置（a）全体として、細かい負荷変動への追従性を確保しつつ、省エネルギーによる運転を実現することができないという問題があった。
【０１１６】
本実施形態３に係るチラー制御システム（10）は、細かい負荷変動に対する追従性を高めることができ、且つ省エネルギーによって運転することができるため、このような物件に適している。その他の形態、作用・効果は実施形態１と同様である。
【０１１７】
〈発明の実施形態４〉
次に、本発明の実施形態４について説明する。実施形態４に係るチラー制御システム（10）は、上記実施形態１〜３に係るものとは、コントローラ（11）のグループ制御部（13〜15）の構成が異なっている。
【０１１８】
図１は、本発明の実施形態１に係るチラー制御システム（10）を示している。このチラー制御システム（10）は、それぞれが複数のヒートポンプチラー（D1〜D8）を有する第１〜第３グループ（Gr1〜Gr3）と、ヒートポンプチラー（D1〜D8）の運転を制御するコントローラ（11）とを備えて構成されている。
【０１１９】
上記ヒートポンプチラー（D1〜D8）は、ビル等の建物の屋上に設置されて該建物内に供給される空調用水を冷却又は加熱するためのものであって、本発明に係るチラーを構成している。ヒートポンプチラー（D1〜D8）は、熱交換器と送風ファンを有するケーシングを備えており、熱交換器を通過させてケーシングに取り込んだ空気を送風ファンによってケーシングの外部に吹き出すように構成されている。ケーシング内に取り込まれた空気は、熱交換器を通過する際に熱交換される。
【０１２０】
上記第１グループ（Gr1）は、４台のヒートポンプチラー（D1〜D4）で構成され、第２グループ（Gr2）は、２台のヒートポンプチラー（D5,D6）で構成され、第３グループ（Gr3）は、２台のヒートポンプチラー（D7,D8）で構成されている。各ヒートポンプチラー（D1〜D8）は、互いに同一の水配管（16）に接続されている。この水配管（16）を流れる空調用水の温度負荷は、本実施形態および本発明に係る負荷をいうものとする。尚、上記各グループ（Gr1〜Gr3）は、本発明に係る制御ユニットを構成している。
【０１２１】
上記コントローラ（11）は、第１グループ（Gr1）を制御する第１グループ制御部（13）と、第２グループ（Gr2）を制御する第２グループ制御部（14）と、第３グループ（Gr3）を制御する第３グループ制御部（15）と、第１〜第３グループ（Gr1〜Gr3）を統括制御するファミリー制御部（12）とを備えている。
【０１２２】
各グループ制御部（13〜15）は、図１９に示すように、それぞれの対応するグループ（Gr1〜Gr3）のヒートポンプチラー（D1〜D8）に対してグループ制御を行うものであって、本発明に係るユニット制御部を構成している。具体的には、第１グループ制御部（13）は、第１グループ（Gr1）に接続され、第２グループ制御部（14）は、第２グループ（Gr2）に接続され、第３グループ制御部（15）は第３グループ（Gr3）に接続されている。このグループ制御は、ユーザーの要望に応じて、例えばヒートポンプチラー（D1〜D8）の設置時などに予め設定されるものである。
【０１２３】
第１グループ制御部（13）は、第１グループ（Gr1）に対してグループ制御として同時制御を行うものであって、本発明に係る第１ユニット制御部を構成している。具体的に、第１グループ（Gr1）における同時制御では、第１グループ制御部（13）が、運転信号を受け取ると、第１グループ（Gr1）を構成する４台のヒートポンプチラー（D1〜D4）のすべてに１００％ロードでの運転指令を出す。一方、第１グループ制御部（13）が、運転停止信号を受け取ると、すべてのヒートポンプチラー（D1〜D4）を停止させる。
【０１２４】
第２グループ制御部（14）は、第２グループ（Gr2）内の２台のヒートポンプチラー（D5,D6）ごとの通算運転時間が平準化するように各ヒートポンプチラー（D5,D6）の運転を制御するものであって、本発明に係る第２ユニット制御部を構成している。具体的には、第２グループ制御部（14）では、運転信号を受け取ると、グループ内で通算運転時間が少ないヒートポンプチラーの順に高い優先順位が決定される。そして、第２グループ制御部（14）は、優先順位の最も高いヒートポンプチラー（すなわち、通算運転時間が最も少ないヒートポンプチラー）から順番に運転を開始させる。運転が開始して水温制御を行うヒートポンプチラーが所定のロードに達したら、次に優先順位の高いヒートポンプチラーの運転を開始させる。このため、ローテーション制御では、グループ内の各ヒートポンプチラー（D5,D6）ごとの通算運転時間にばらつきが少なくなる。
【０１２５】
また、このローテーション制御では、運転中のヒートポンプチラー（D5,D6）のうち、最も優先順位の低いヒートポンプチラー（すなわち、通算運転時間が多いヒートポンプチラー）が水温の微調整を行う。そして、負荷が下がった場合、優先順位の低い順に運転を停止させる。また、停止信号を受け取ると、第２グループ制御部（14）は、グループ内のすべてのヒートポンプチラー（D5,D6）を同時に停止する。
【０１２６】
尚、第２グループ（Gr2）では、図２１に示すように、ヒートポンプチラー（D6）（３１０時間）、ヒートポンプチラー（D5）（３４０時間）の順に優先順位が高くなっているものとする。
【０１２７】
また、第２グループ制御部（14）では、連続運転が２４時間経過すると、優先順位が１位のヒートポンプチラーの優先順位を最後の順位に変更し、２位以下のヒートポンプチラーが一位ずつ繰り上がる。つまり、２４時間ごとにその優先順位を変更することで、運転時間の平準化が図られる。
【０１２８】
尚、第２グループ制御部（14）では、各ヒートポンプチラー（D5,D6）の通算運転時間ではなく、各ヒートポンプチラー（D5,D6）の発停回数が少ない順に優先順位を決定するようにしてもよい。この場合、また、起動が特定のヒートポンプチラーに集中しなくなるため、各ヒートポンプチラー（D5,D6）の発停回数を平準化することができる。
【０１２９】
第３グループ制御部（15）は、第３グループ（Gr3）内の２台のヒートポンプチラー（D7,D8）ごとの通算運転時間を平準化するように各ヒートポンプチラー（D7,D8）の運転を制御するものであって、本発明に係る第２ユニット制御部を構成している。具体的な制御内容は、上記第２グループ（Gr2）と同様であるため、説明は省略する。
【０１３０】
上記ファミリー制御部（12）は、第１〜第３の各グループ制御部（13〜15）に対してファミリー制御を行うものであって、本発明に係る統括制御部を構成している。このファミリー制御は、ユーザーの要望に応じて、例えば各ヒートポンプチラー（D1〜D8）の設置時に予め設定されるものである。
【０１３１】
このファミリー制御部（12）は、第１〜第３の各グループ制御部（13〜15）に対してファミリー制御としてローテーション制御を行う。すなわち、第１グループ（Gr1〜Gr3）が１つのファミリーを構成している。ファミリー制御部（12）のローテーション制御では、各グループ（Gr1〜Gr3）ごとの通算運転時間を平準化するようにファミリー内の各グループ（Gr1〜Gr3）の運転が制御される。尚、この通算運転時間は、本発明に係る稼動時間を構成している。具体的には、ファミリー制御部（12）では、運転信号を受け取ると、制御対象とするファミリー内で通算運転時間が少ないグループの順に高い優先順位が決定される。そして、ファミリー制御部（12）は、優先順位の最も高いグループ（すなわち、通算運転時間が最も少ないグループ）から順番に運転を開始させる。そして、運転を開始させて水温制御を行うグループが１００％ロードに達したら、次に優先順位の高いグループの運転を開始させる。このため、ローテーション制御では、各グループ（Gr1〜Gr3）ごとの通算運転時間にばらつきが少なくなる。
【０１３２】
また、このローテーション制御では、運転中のグループのうち、最も優先順位の低いグループ（すなわち、通算運転時間が多いグループ）が水温の微調整を行う制御が行われる。尚、本実施形態４では、図２１に示すように、第２グループ（Gr2）、第３グループ（Gr3）の順に優先順位が高くなっているものとする。
【０１３３】
また、ファミリー制御部（12）では、連続運転が２４時間経過すると、優先順位が１位のグループの優先順位を最後の順位に変更し、２位以下のグループが一位ずつ繰り上がる。つまり、２４時間ごとにその優先順位を変更することで、運転時間の平準化が図られる。
【０１３４】
尚、ファミリー制御部（12）では、各グループ（Gr1〜Gr3）の通算運転時間ではなく、各グループ（Gr1〜Gr3）の発停回数の平均値が少ない順に優先順位を決定するようにしてもよい。
【０１３５】
−運転動作−
次に、本実施形態４に係るチラー制御システム（10）の運転制御について説明する。チラー制御システム（10）では、図２０に示すように、まず、ファミリー制御部（12）が、グループ内で同時制御が行われる第１グループ（Gr1）の運転を優先的に開始させる。第１グループ（Gr1）では、グループ内の４台のヒートポンプチラー（D1〜D4）が、同時に１００％ロードで起動される。すべてのヒートポンプチラー（D1〜D4）が同時に１００％ロードで起動することで、図２３に示すように、チラー制御システム（10）の起動時の急激な負荷の増加（４００％）に対して追従することができる。
【０１３６】
次に、ファミリー制御部（12）は、図２１に示すように、通算運転時間が少ない第２グループ（Gr2）の運転を開始させる。第２グループ（Gr2）では、グループ内の２台のヒートポンプチラー（D5,D6）のうち、通算運転時間が少ないヒートポンプチラー（D6）の運転を開始させ、１００％ロードに達したら、続いてヒートポンプチラー（D5）の運転を開始させる。こうすることで、図２３に示すように、細かい負荷変動に対して追従することができる。
【０１３７】
その後、ファミリー制御部（12）は、通算運転時間が多い第３グループ（Gr3）の運転を開始させる。第３グループ（Gr3）では、グループ内の２台のヒートポンプチラー（D7,D8）のうち、通算運転時間が少ない時間のヒートポンプチラーから順に運転を開始させる。こうすることで、図２３に示すように、細かい負荷変動に対して追従することができる。最後は、図２２に示すように、すべてのヒートポンプチラー（D1〜D8）が１００％ロードで運転される。
【０１３８】
−実施形態４の効果−
上記実施形態４によれば、ファミリー制御部（12）がローテーション制御を行うようにしたため、グループ（Gr1〜Gr3）ごとの通算運転時間に基づいて運転させるグループを決めることができる。これにより、各グループ（Gr1〜Gr3）の通算運転時間を平準化することができる。このため、特定のグループ（Gr1〜Gr3）が常に稼動するのを防止できるため、チラー制御システム（10）の全体の長寿命化を図ることができる。
【０１３９】
また、第２および第３グループ制御部（14,15）が、ローテーション制御を行うようにしたため、第２および第３グループ（Gr2,Gr3）内のヒートポンプチラー（D5,D6,D7,D8）ごとの通算運転時間に基づいて運転させるヒートポンプチラー（D5,D6,D7,D8）を決めることができる。これにより、第２および第３グループ（Gr2,Gr3）のヒートポンプチラー（D5,D6,D7,D8）の通算運転時間を平準化することができる。また、第２および第３グループ（Gr2,Gr3）のヒートポンプチラー（D5,D6,D7,D8）を順番に運転させるため、細かい負荷変動に対する追従性を高めることができる。
【０１４０】
さらに、第１グループ（Gr1）に対応する各ヒートポンプチラー（D1〜D4）を同時に運転させるようにしたため、急激な負荷変動に対する追従性を高くすることができる。
【０１４１】
これらの結果、チラー制御システム（10）の全体として、起動時の急激な負荷変動への追従性を保ちつつ、起動後の細かい負荷変動への追従性を保ち、且つ長寿命化を図ることができる。
【０１４２】
ここで、従来のチラー装置（a）は、オフィスなどの個室空調を主体とする物件に設置されることがある。このような物件の場合、チラー装置（a）の起動時刻がほぼ一定であり、且つ起動後の負荷変動が小さいという特徴がある。このため、従来のチラー装置（a）では、グループ（c,d,e）内の室外機（b）を稼動時間の少ないものを優先させて起動させることで、グループ（c,d,e）内の各室外機（b）の稼動時間の平準化を図り、且つ細かい負荷変動に対応している。
【０１４３】
ところが、上記チラー装置（a）では、起動時の急激な負荷変動に追従することができない。
【０１４４】
一方、本実施形態４に係るチラー制御システム（10）は、細かい負荷変動および急激な負荷変動の両方に対する追従性を高めることができ、且つ長寿命化を図ることができるため、このような物件に適している。その他の形態、作用・効果は実施形態１と同様である。
【０１４５】
〈その他の実施形態〉
本発明は、上記実施形態１〜４について、以下のような構成としてもよい。上記実施形態１〜４に係るチラー制御システム（10）におけるヒートポンプチラーの台数や、グループ分けは例示であり、これに限られるものではない。
【０１４６】
また、上記実施形態１〜４では、本発明に係るチラーとしてヒートポンプチラー（D1〜D8）を用いたが、本発明はこれ限られず、多様な種類のチラーに適用することができる。
【０１４７】
尚、以上の実施形態は、本質的に好ましい例示であって、本発明、その適用物、あるいはその用途の範囲を制限することを意図するものではない。
【産業上の利用可能性】
【０１４８】
以上説明したように、本発明は、複数のヒートポンプチラーの制御手段について有用である。
【符号の説明】
【０１４９】
１０          チラー制御システム
１１          コントローラ
１２          ファミリー制御部
１３          第１グループ制御部
１４          第２グループ制御部
１５          第３グループ制御部
Ｄ１〜Ｄ８    ヒートポンプチラー
Ｇｒ１        第１グループ
Ｇｒ２        第２グループ
Ｇｒ３        第３グループ
【図１】
2013160397.tif 000003
【図２】
2013160397.tif 000004
【図３】
2013160397.tif 000005
【図４】
2013160397.tif 000006
【図５】
2013160397.tif 000007
【図６】
2013160397.tif 000008
【図７】
2013160397.tif 000009
【図８】
2013160397.tif 000010
【図９】
2013160397.tif 000011
【図１０】
2013160397.tif 000012
【図１１】
2013160397.tif 000013
【図１２】
2013160397.tif 000014
【図１３】
2013160397.tif 000015
【図１４】
2013160397.tif 000016
【図１５】
2013160397.tif 000017
【図１６】
2013160397.tif 000018
【図１７】
2013160397.tif 000019
【図１８】
2013160397.tif 000020
【図１９】
2013160397.tif 000021
【図２０】
2013160397.tif 000022
【図２１】
2013160397.tif 000023
【図２２】
2013160397.tif 000024
【図２３】
2013160397.tif 000025
【図２４】
2013160397.tif 000026
【図２５】
2013160397.tif 000027